(57)【要約】【課題】  カバーの強度を高めると共に、壁面取付時の美観を向上させることを目的とする。【解決手段】   壁内に埋め込まれる本体３と、その本体の露出部分を覆うように取り付けられる略方形状のカバー２とを備える集合玄関機１において、カバー両側の対向する二辺に壁側Ｗに向かって傾斜したテーパ面２ｇを設けた。  集合玄関機１の側部、壁面Ｗから突出している部分を横方向から見た場合に、壁面Ｗからのカバー２の突出量を視覚的に小さくすることができる。このため、壁Ｗとの一体感をもたすことができる。【選択図】図２
2007116387.tif 000002
【特許請求の範囲】
【請求項１】
壁内に埋め込まれる本体と、該本体の露出部分を覆うように取り付けられる略方形状のカバーとを備える集合玄関機において、
前記カバー両側の対向する二辺に前記壁側に向かって傾斜したテーパ面を設けたことを特徴とする集合玄関機。
【発明の詳細な説明】
【技術分野】
【０００１】
この発明は、集合玄関機に関する。
【背景技術】
【０００２】
集合住宅等において共同玄関扉等の手前に設置される集合玄関機は、訪問者が訪問先の住戸番号を入力したり、或いは住戸者が自動開錠装置の開錠用暗証番号を入力したりするためのテンキー装置を備えている（例えば、特許文献１参照）。
【特許文献１】特許第３０３０７２０号公報 図５は従来の集合玄関機で、テンキー装置８以外に、スピーカ７、呼出釦９、住戸番号表示部１０、逆マスターキー挿入口１１及び図示しないマイクを備えている。集合玄関機の筐体は、箱状の本体３と、その本体３の表側に取り付けらる薄板状のカバー４とから構成されている。図６に示すように、集合玄関機は、壁Ｗ内に設けられた埋込ボックス１に取り付けられて、本体３部分が壁Ｗ内に埋め込まれるようになっている。そして壁面からカバー４部分のみが突出するようにして、壁Ｗに取り付けられている。
【発明の開示】
【発明が解決しようとする課題】
【０００３】
従来の集合玄関機のカバーは、壁面取付時においては、カバー部分のみが壁面から突出しているので、美観上、好ましくない。カバーの壁面からの突出量を少なくするために、カバーの厚みを小さくすることも考えられるが、この場合には、カバーの強度が弱くなり、外力などによりカバーが変形してしまう恐れがある。
【０００４】
そこで、本発明は、カバーの強度を高めると共に、壁面取付時の美観を向上させることを目的とする。
【課題を解決するための手段】
【０００５】
本発明は、壁内に埋め込まれる本体と、該本体の露出部分を覆うように取り付けられる略方形状のカバーとを備える集合玄関機において、
カバー両側の対向する二辺に壁側に向かって傾斜したテーパ面を設けたことを特徴とするものである。
【発明の効果】
【０００６】
この発明によれば、カバー両側の対向する二辺に壁側に向かって傾斜したテーパ面を設けたので、側面方向から見た場合、壁面からのカバーの突出量を視覚的に小さく見せるができる。このため、壁との一体感をもたすことができ、取付時における美観を向上させることができる。
【０００７】
また、カバー両側を傾斜させた形状とすることで、カバーに外力がかかっても、従来の平板形状のものに比べ強度を増すことができ、外力による変形を防止することができる。
【発明を実施するための最良の形態】
【０００８】
この発明の実施の形態を添付図１乃至図４に基づき説明する。なお、図１は、この発明の集合玄関機を構成するカバーと本体との分解図であり、図２は、本体にカバーを取り付けた状態を示す斜視図である。図３は壁面に取り付けた集合玄関機の上面図で、図４はカバーを背面側から見た斜視図である。
【０００９】
図１において、１は集合玄関機であり、壁内に埋め込まれる本体３と、その本体３の露出部分を覆うように取り付けられる略方形状のカバー２とからなる。本体３には、スピーカボックス４に隣接してテンキー装置本体５が組み付けられている。テンキー装置本体５は、基板上に受動部の一例としてのラバーボタン５ａを所定の数及び配置で載置してなる。本体３は、図３に示すように箱体３ｃとその前方（上側）に略鍔状に設けられた前板３ｄとから構成され、本体の箱体３ｃが壁Ｗ内に埋め込まれ、壁Ｗ前方の壁面に前板３ｄが当接するようになっている。
【００１０】
図２、図３において、カバー２の中央には、アクリルパーツが設けられ、その下方にスピーカの音響溝やキートップ部６（操作部）が設けられる。カバー２の左右両端から少し離れた所（例えば、約２ｃｍ）に縦方向に折り曲げ部２ｆが形成され、この折り曲げ部２ｆを基にして、カバー２両側の対向する二辺、つまり左右の側部を、壁Ｗ側方向に向かって傾斜させた形状にして、カバー２の両側にテーパ面２ｇが設けられる。
【００１１】
折り曲げ部２ｆは、カバー２の表面において、正面視で略長方形の長さ方向に線が入ったように見え、感覚的に縦長にスリムに見えるので、美観的な作用もある。カバー２の傾斜角度（折り曲げ角度）は適宜調整されるが、この実施形態では、本体３の前板３ｄとカバー２のテーパ面２ｇの先端を結んだ角度θがほぼ１１度になるように形成されている。また、カバー２の厚みがほぼ半分になるところでまでテーパ面２ｇが設けられ、テーパ面２ｇの端部は本体３側に直角に曲げられて側壁２ｈを構成している。
【００１２】
なお、カバー２は、上下方向にも上面２ｊ、下面２ｋを有し、両側壁３ｆと合わせて、本体２の表側を覆う周壁状になっている。そして、カバー２は、例えば樹脂成型によって一体的に安価に製造できる。
【００１３】
図４に示すように、カバー２は、テンキー装置本体５より分離して設けられると共に、カバー２の裏面２ｂ側に取り付けられるキートップ部６を有している。キートップ部６は、所定の数のキートップ６ａと、各キートップ６ａを所定の配置で保持する取付ベース７と、取付ベース７をその裏面側より保持する押さえ板８とからなる。
【００１４】
カバー２には、その裏面２ｂ側に螺子で取り付けた操作パネルにキートップ取付部２ｃが設けられており、キートップ取付部２ｃには、各キートップ６ａの数、大きさ、及び配置に対応してキートップ用通孔部２ｄが形成されている。キートップ部６は、各キートップ６ａをキートップ用通孔部２ｄを介してカバー２の表面２ａより外部に突出させた状態で、カバー２のキートップ取付部２ｃに取り付けられており、押さえ板８がカバー２のキートップ取付部２ｃに螺子８ｃ止めされることにより固定される。
【００１５】
このように、各キートップ６ａを、テンキー装置本体５より分離して設けると共に、カバー２の裏面２ｂ側に取り付けるものとすることで、カバー２を本体３へ取り付ける際に、各キートップ６ａの位置合わせの作業をする必要をなくすことができるので、カバー２の本体３への取付作業を容易にすることができ、それにより、集合玄関機１の組立作業を容易にすることができることから、集合玄関機１の施工作業及びメンテナンス作業を容易にすることができる。
【００１６】
この発明によれば、カバー２両側の対向する二辺に壁Ｗ側に向かって傾斜したテーパ面２ｇを設けたので、集合玄関機１の壁面取付時において、集合玄関機１を側面方向から見た場合、例えば、壁側に立って、集合玄関機１の側部、つまり壁面Ｗから突出している部分を横方向から見た場合に、壁面Ｗからのカバー２の突出量を視覚的に小さくすることができる。このため、壁Ｗとの一体感をもたすことができ、取付時における美観を向上させることができる。
【００１７】
また、カバー２両端を傾斜させた形状とすることで、カバー２に外力がかかっても、従来の平板形状のものに比べ強度を増すことができ、外力による変形を防止することが可能となる。
【００１８】
なお、カバー２の材質は、樹脂製でも金属製でもよく、金属製の場合には、折り曲げ部２ｆを基にして、カバー２両側の対向する二辺、つまり左右の側部を、壁Ｗ側方向に向かって折り曲げることで、カバー２の両側にテーパ面２ｇを形成することができる。
【図面の簡単な説明】
【００１９】
【図１】集合玄関機のカバーと本体との分解図である。
【図２】集合玄関機の斜視図である。
【図３】集合玄関機のカバーの背面側からみた斜視図である。
【図４】集合玄関機の壁面取付時の上面図である。
【図５】従来の集合玄関機１の正面図などである。
【図６】従来の集合玄関機の壁面取付時の断面図である。
【符号の説明】
【００２０】
１  集合玄関機、２  カバー、２ａ  表面、２ｂ  裏面、
２ｃ  キートップ用取付部、  ２ｄ  キートップ用通孔部、
２ｆ  折り曲げ部、２ｇ  テーパ面、  ２ｈ  側壁、
２ｊ  上面、  ２ｋ  下面、  ３  本体、  ３ｃ  箱体、
３ｄ  前板、  ４  スピーカボックス、  ｔｔ
４ａ  受圧部、  ５  テンキー装置本体、５ａ  ラバーボタン、
５ｂ  基板、  ５ｃ  スイッチ部、  ６  キートップ部、
６ａ  キートップ、  ７  取付ベース、  ８  押さえ板、
【図１】
2007116387.tif 000003
【図２】
2007116387.tif 000004
【図３】
2007116387.tif 000005
【図４】
2007116387.tif 000006
【図５】
2007116387.tif 000007
【図６】
2007116387.tif 000008